(57)【要約】【課題】携帯時計のような新規なハイブリッド型の計時装置を提供すること。【解決手段】本発明による携帯時計等のハイブリッド型の計時装置は、文字盤に時間単位を表示するための針付きの機械式ムーブメントと、竜頭と、巻き上げ回転マスとを少なくとも含む古典的部分、並びにスマートモジュールを備え、古典的部分とスマートモジュールの両方が同じ携帯時計ケースの中で組み合わされている。携帯電話と組み合わされた計時装置は、一般通信エコシステムの一部分とすることができる。【選択図】  図１
2021527816.tif 000002
【特許請求の範囲】
【請求項１】
文字盤（１５）に時間単位を表示するための針（１２、１３、２６）付きの機械式ムーブメントと、竜頭（６）と、巻き上げ回転マスとを少なくとも備えた古典的部分を具備する、携帯時計等のハイブリッド型の計時装置（１）であって、
当該計時装置がさらに、電子構成要素を含むスマートモジュール（１０）を具備し、古典的部分とスマートモジュール（１０）の両方が同じ携帯時計ケース（２）の中で組み合わされており、前記スマートモジュール（１０）が前記ケース（２）に挿入されており、スマート能力が前記計時装置に与えられている、ハイブリッド型の計時装置。
【請求項２】
前記計時装置が前記スマートモジュール（１０）を介してスマートフォンと無線で通信する、請求項１に記載のハイブリッド型の計時装置。
【請求項３】
前記スマートモジュールが、
身体の徴候を検知及び監視するために、又は表示するために、
及び／又は、電話等の情報源から受け取られた情報／データ、例えばリマインダ、締め切り、会合、着信Ｅメール、ニュース、に対応するために、
及び／又は、例えばＮＦＣ技術若しくは別の同等の通信技術を使用することによる支払い手段／端末として、
及び／又は、使用者をその現在の生活の他の製品に接続するＩｏＴ（「モノのインターネット」）のより一般的な状況において、
及び／又は、同じ携帯時計の、又は同じブランドの、又は別の関連ブランドの着用者間で新しいコミュニティの体験を作り出すために
使用される、請求項１又は２に記載のハイブリッド型の計時装置。
【請求項４】
前記の機能を実行するためのアプリケーションが少なくとも前記電話にインストールされている、請求項３に記載のハイブリッド型の計時装置。
【請求項５】
認識構成／アプリケーションにより着用者が、同じ計時装置、又は同じブランド（さらには、対応する構成／アプリケーションを含む別のブランド）の計時装置の別の着用者が近くにいることを検出することができ、それにより着用者は、近くにいることが検出されたらすぐに個人的に連絡を取ることができる、請求項３又は４に記載のハイブリッド型の計時装置。
【請求項６】
検出が、地理的位置特定によって（例えば、着用者の電話で、又はデータの適切なアップロード及びダウンロードによりクラウド又は別の場所で）、或いはＷｉＦｉ、ＮＦＣ、ブルートゥース及び／又は他の同等のデバイス間の技術等の、近接通信によって行うことができる、請求項１〜５のいずれか一項に記載のハイブリッド型の計時装置。
【請求項７】
前記スマート部分が、計時装置及び表示手段（１、１０、２５）の蓄積器（２１）に保存されるべき電気エネルギーを生成する充電手段を少なくとも備える、請求項１〜６のいずれか一項に記載のハイブリッド型の計時装置。
【請求項８】
前記充電手段がマイクロ発電機システム及び／又は誘導システムを備える、請求項１〜７のいずれか一項に記載のハイブリッド型の計時装置。
【請求項９】
前記マイクロ発電機システムが、専用の回転マス、及び／又は機械式ムーブメントの回転マス、及び／又は計時装置の竜頭（６）の操作を用いる、請求項１〜８のいずれか一項に記載のハイブリッド型の計時装置。
【請求項１０】
前記表示手段（１、１０、２５）が少なくともタッチスクリーン（１、２５）を備える、請求項１〜９のいずれか一項に記載のハイブリッド型の計時装置。
【請求項１１】
前記表示手段が前記モジュール（１０）上に少なくとも表示装置（２５）を備える、請求項１〜１０のいずれか一項に記載のハイブリッド型の計時装置。
【請求項１２】
前記表示手段が文字盤（９）の高さに少なくとも表示装置（１０）を備える、請求項１〜１１のいずれか一項に記載のハイブリッド型の計時装置。
【請求項１３】
前記表示装置（１０）が前記文字盤（９）全体又は前記文字盤（９）の一部だけを覆う、請求項１２に記載のハイブリッド型の計時装置。
【請求項１４】
スマート機能が前記竜頭（６）及び／又はベゼル（３）によって制御される、請求項１〜１３のいずれか一項に記載のハイブリッド型の計時装置。
【請求項１５】
前記計時装置が腕時計（３０）等の携帯時計である、請求項１〜１４のいずれか一項に記載のハイブリッド型の計時装置。
【請求項１６】
少なくとも請求項１〜１５のいずれか一項に記載の計時装置を、電話等の少なくとも携帯デバイスと共に使用する、通信エコシステム。
【請求項１７】
請求項１〜１５のいずれか一項に記載のハイブリッド型の計時装置又は請求項１６に記載のシステムを使用する方法。
【請求項１８】
前記計時装置が、同じ計時装置の、又は同じブランドの、又は別の関連ブランドの着用者間で新しいコミュニティの体験を作り出すために使用され、着用者同士が社会的接触、やりとり、会合等の共通の対話のためにつながる、請求項１７に記載の方法。
【請求項１９】
前記使用が、身体の徴候を検知及び監視するため、及び／又はそのような徴候若しくはそのような徴候に関連した情報を表示するためのものである、請求項１７又は１８に記載の方法。
【請求項２０】
前記使用が、電話等の情報源から受け取った情報／データに対応するためのものである、請求項１７〜１９のいずれか一項に記載の方法。
【請求項２１】
前記使用が支払い手段／端末としてのものである、請求項１７〜２０のいずれか一項に記載の方法。
【請求項２２】
前記使用が、使用者をその現在の生活の製品に接続するＩｏＴ（「モノのインターネット」）の状況においてのものである、請求項１７〜２１のいずれか一項に記載の方法。
【発明の詳細な説明】
【対応出願】
【０００１】
本出願は、Ｊｕｌｉｅｎ  ＳＺＵＬＥＷＳＫＩの名前で２０１８年６月２２日に出願された先行スイス特許出願第００７９５／１８号の優先権を主張し、この先行出願の内容は、参照することによりその全体が本出願に組み込まれている。
【技術分野】
【０００２】
本発明は、携帯時計（ｗａｔｃｈ）又は他の類似製品等の計時装置（ｔｉｍｅｋｅｅｐｅｒ）の分野に関する。
【０００３】
より詳細には、本発明は、時間を測定／表示するための機械式ムーブメントと、スマートウォッチ等のスマートデバイスの分野で現在普及しているアプリケーションを表示及び使用するためのスマート能力（ｓｍａｒｔ  ｃａｐａｂｉｌｉｔｉｅｓ）との両方を有する、腕時計等の計時装置に関する。
【０００４】
本発明は、従来技術と比べて改善されたものを作り出すために従来の携帯時計製作技術と最先端の現代技術とを同時に使用して、携帯時計等の完全で真正なハイブリッド型デバイスを形成する。
【０００５】
本発明はさらに、製品及び機能の新規で独創的なエコシステムをその使用者の利益のために作り出す。
【背景技術】
【０００６】
機械式ムーブメント又はクオーツ式ムーブメントを備えた古典的携帯時計及び計時装置が、時計製作技術の分野で長年知られている。歴史的には、最初の計時装置／携帯時計に時間を測定するための機械式ムーブメントが使用された。その後、技術の進歩と共に、クオーツ動作の計時装置及び携帯時計が８０年代に一般的になり、針及び文字盤をデジタル表示部に置き換えたデバイスも一般的になった。しかし、針及び文字盤を備えた、時間、日付を測定し表示する、又は時間を測定する（クロノメータ等で）古典的な携帯時計の市場はなお堅調である。特に、奢侈製品等の特定の（高）価格の、又は長い時計製作の伝統を示す会社で製造された携帯時計及び計時装置では、機械式ムーブメントは、このような携帯時計及び計時装置の極めて重要な部分である。市場では、このような携帯時計が常に探し求められており、一部は真の芸術作品にもなっている。
【０００７】
一方で、現在の技術の進歩と共に、いわゆる「スマート携帯時計」がますます一般的になっており、最新の電子技術、モノのインターネット（ＩＯＴ）、及び現代的なアプリケーションを使用するこのような携帯時計は、その使用者が、モバイルスマートフォン、クラウド、スマート携帯時計及びＩＯＴに今では存在する多くのアプリケーションから利益を得られるようにする。
【０００８】
技術の進歩が今ではさらに、スマート携帯時計と、それ自体は時間を測定することと全く関係がないスマートフォン（今や日常使用の標準的ツールになっており、無限に近い機能及びデータ収集／処理の可能性を開いたもの）との間でのペアリング及び無線接続も可能にしている。典型的な最近の製品には、例えば、アップル（Ａｐｐｌｅ）（登録商標）社が開発したアップルウォッチ（Ａｐｐｌｅ  Ｗａｔｃｈ）（登録商標）があり、これは、その使用者が自分の手首において、電話、カレンダ、インターネット、ＧＰＳ、支払い、健康関連アプリケーション等の多数のアプリケーションにアクセスすることを可能にする。
【０００９】
他の多くの会社が、例えばスポーツの分野で、着用者の身体的活動及び他のパラメータ（位置、速度、距離、心拍のような個人データ等）を追跡するための他の同様な製品を提案している。
【００１０】
今後、この傾向は衰退する可能性がほとんどなく、むしろ、我々の現在の生活のものの間の相互接続が増加して、我々の社会に、及び環境に存在するものとの我々の関係に、変化がもたらされることになろう。
【００１１】
すべてのこれらのデバイス（古典的な携帯時計及びスマート携帯時計）にはその愛好者がいるが、一方が従来型で他方が最先端の現代技術である、両方の世界の最も優れているものを使用するデバイスを提案することについての関心もある。
【００１２】
スマート携帯時計を使用するときに使用者が直面する問題の１つが、エネルギーの再充電である。スマートデバイス（スマートフォン、電気自動車及び他の類似デバイス等）のための技術が現在実に発達しているとしても、これらすべての現代的なデバイスの弱点は、デバイスが使用する電気エネルギーであり、またデバイスの蓄電池に定期的にエネルギーを再充電する必要性である。加えて、これらのデバイスのどれかで利用可能な限られた空間を考慮すると、エネルギー源（電池、蓄積器）も容量が限られている。
【００１３】
現在のスマート携帯時計は通常、そのような電気エネルギーを蓄積器のために生成する支持体の上に置かれなければならない。しかし、使用者はこの操作のために必要な、一般には旅行の際に置き忘れたり時が経つと紛失したりする品物であるハードウェア（ケーブル、ベース等）を持ち歩く必要がある。さらに、環境によっては、例えばスポーツ、ハイキング等をしているときに、電気エネルギーは、すべてかさばって重い特別な機器（ブースタ電池、太陽電池デバイス等）を着用者が携帯しない限り、全く得られない。
【００１４】
携帯時計のスマート部分の使用に結びついている別の問題は、例えば、スマート部分が簡単に修理できないこと、又は修復の費用があまりに高いことである。機械式携帯時計を修理できるとしても（修理が経済的に容認できるレベルであっても）、スマート携帯時計のスマート部分は通常では修理可能でなく、もし問題が起きたならこのような携帯時計は捨てられる。したがって、この部分を交換できることが必要である。
【００１５】
さらに、電子デバイスの分野では、技術の進歩に伴って使用者は、そのデバイス（例えば、その携帯電話、又はコンピュータ若しくは携帯時計）を定期的に変更するように駆り立てられる。その理由は、デバイスが旧式化することによりデバイスが、使用者に提示されるプログラム／アプリケーションの新バージョン又は更新に適さなくなるからである。所与のデバイスに対して特定の回数の更新を行うことが通常では可能であるとしても、前記デバイスを、すべての最新技術的構成（例えば、マイクロプロセッサ、メモリ、オペレーティングシステム）及びアプリケーションを組み込んでいる新しいものに交換することが必要になる時点が必ずある（例えば、２年又は３年後）。この問題はさらに、デバイスの記憶容量（必要な記憶空間が技術の進化に伴って増大する）の限界と、構成要素（一般には、時が経つにつれて、また充電サイクルによって性能が低下するデバイスの電池）の老化とに結びついている。
【００１６】
本発明の一実施形態のような携帯時計では、何年にもわたって変更されないままであるべき従来の部分と、寿命が短い現代的な部分との間に対立がある。
【発明の概要】
【００１７】
したがって、本発明の一目的は、当技術分野で知られているものと比べて改善された製品を提案することである。
【００１８】
本発明の別の目的は、携帯時計等の、従来の態様と現代的な態様を同時に有し、さらに両方が一緒に使用され、２つの態様が互いに限定しない、改善された計時装置を提供することである。
【００１９】
本発明のさらなる目的は、従来技術を現代技術と混合することであり、それぞれの技術が他方にとって有益である。
【００２０】
本発明の意図及び貢献は、本明細書に記載の例ではスマート携帯時計である１つの製品によって、この製品の使用者に、現在及び未来の技術並びに生活術傾向の範囲内で新しい現代及び未来の体験をもたらすための、エコシステム及びコミュニティを構築することである。このエコシステムの一例が図９に示されており、以下で論じられる。
【００２１】
携帯時計はシステムの中心にあり、多くの態様及び構成のために使用される。携帯時計は、好ましくは携帯電話（又は別の同様なデバイス）のスレーブであり、携帯電話と一緒に使用され、この携帯時計は、必要な技術的構成及び能力をスマートモジュールとして含む。
【００２２】
例えば、提案されたエコシステムの構成、データ及び体験として、以下が実現可能である。
この携帯時計は、専用アプリケーションに使用されるべき着用者の身体の徴候（心拍、体温、血圧、及び着用者の他の測定可能パラメータ等）を検知及び監視し、何らかの規定の／所望の情報を着用者に、又は電話若しくはネットワーク（インターネット、クラウド等）のアプリケーションに与えるために使用することができる。ネットワークは、健康に結びついた能力（例えば、患者ファイル、いくつかのパラメータの監視、着用者の健康問題の予防、又は問題が検出された場合の緊急警報等）にリンクすることができる。
この携帯時計は、電話からの情報、例えば、リマインダ、締め切り、会合、着信Ｅメール、ニュース等、使用者に望まれる、及び例えば、電話のアプリケーション（「アプリ」）で構成されたあらゆる情報を表示したり、その情報に対応したりするために使用することができる。
この携帯時計は、例えばＮＦＣ技術又は別の同等の通信技術を使用することによって、支払い手段／端末として使用して、使用者の物理的カード（クレジットカード又はデビットカード、会員カード、ポイントカード、ギフトカード等）を前記カードの電子バージョンに置き換えることができる。
この携帯時計は、その使用者を自動車、家庭電化製品及び自動化（照明、暖房等）等の現在の生活の他の製品に接続するＩｏＴ（「モノのインターネット」）のより一般的な状況では、旅行申し込みにおいて（飛行、列車、予約場所（部屋、コンサート、ラウンジ、博覧会、見本市等）へのアクセスのための切符）、物理的カード（クレジット、ギフト、ポイント等）の置き換えに使用することができる。
この携帯時計は、地理的位置特定、追跡、経路プランニング及び移動／行程分析、スポーツ等に使用することができる。
【００２３】
別の用途として、携帯時計は、同じ携帯時計又は同じブランド（又は別の関連ブランド）の着用者間で新しいコミュニティ体験を作り出すために使用することができる。この目的で、認識構成／アプリケーションがインストールされ、ある着用者が、同じ携帯時計又は同じブランドの（さらには、別のブランドであるが構成／アプリケーションが対応する）携帯時計の別の着用者が近くにいること（物理的に近くにいること等）を検出することが可能になり、それにより着用者は、この近くにいることが検出されるとすぐに個人的に連絡を取ることができる。こうしたことは、地理的位置特定（例えば、着用者の電話で、又はデータの適切なアップロード及びダウンロードと共にクラウド若しくは別の場所において）、又はデバイス（電話、携帯時計等）間の近接通信（ＷｉＦｉ、ＮＦＣ、ブルートゥース及び他の同等の技術）によって行うことができる。この構成は、物理的に近いことだけに基づいてもよく（着用者が互いに接近しているときに）、並びに／或いは同じ行事への参加、旅行、共通の好み（音楽、食品、飲料）及び／又は趣味及び／若しくは活動（職業上の活動を含む）、又は出身、信仰、個人的方向性及び地位等の、他のパラメータに基づいてもよい。この個人情報及びデータに基づいた多くの可能性が存在し、着用者はコミュニティにいつでも参加することができる。
【００２４】
もちろんどの構成も、望ましくなければ使用者が無効にすることができる（一時的又は恒久的に）。
【００２５】
これらのすべての機能及び構成は、他の同等のものを含めて、好ましくは携帯電話とペアリングされた製品（すなわち、携帯時計）のスマート部分を使用することによって可能になるが、これらは実現可能な実施形態の例であり、限定するものとは考えられるべきでない。
【００２６】
一実施形態では、本発明は、文字盤に時間単位を表示するための針を含む機械式ムーブメントと、竜頭と、巻き上げ回転マス（回転質量体）（ｒｏｔａｔｉｎｇ  ｗｉｎｄｉｎｇ  ｍａｓｓ）とを少なくとも備えた古典的部分を具備する、携帯時計等のハイブリッド型の計時装置であって、計時装置はさらに、電子構成要素を含むスマートモジュールを備え、古典的部分とスマートモジュールの両方が同じ携帯時計ケースの中で一緒にされており、モジュールがケースに取り外し可能に挿入されており、スマート能力が計時装置に与えられている、ハイブリッド型の計時装置に関する。
【００２７】
一実施形態では、ハイブリッド型の計時装置はそのモジュールを介してスマートフォンと無線で通信することが好ましい。例えば、ハイブリッド型の計時装置とスマートフォンはペアリングなどで一緒に接続される。
【００２８】
一実施形態では、モジュールは、以下の機能の少なくとも一部又は全部を実行するために使用される。
身体の徴候を検知及び監視すること、又は表示すること、
及び／又は、携帯電話等の情報源から受け取られた情報／データ、例えばリマインダ、締め切り、会合、着信Ｅメール、ニュース、に対応すること、
及び／又は、例えばＮＦＣ技術若しくは別の同等の通信技術を使用することによる支払い手段／端末として、
及び／又は、使用者をその現在の生活の他の製品に接続するＩｏＴ（「モノのインターネット」）のより一般的な状況において、
及び／又は、同じ携帯時計の、又は同じブランドの、又は別の関連ブランドの着用者間で新しいコミュニティの体験を作り出すこと。
【００２９】
一実施形態では、前記機能を実行するためのアプリケーションが少なくとも電話にインストールされている。アプリケーションは、電話にインストールされるだけでも、計時装置に部分的にだけ及び／又は部分的若しくは全体的にもインストールされてもよい。
【００３０】
一実施形態では、認識構成／アプリケーションにより着用者は、同じ計時装置、若しくは同じブランド（さらには、対応する構成／アプリケーションを含む別のブランド）の計時装置の他の着用者、又は同じ構成／アプリケーションをまさに使用しているが計時装置は異なる着用者が近くにいることを検出することができ、それにより着用者は、近くにいること（物理的に近くにいること）が検出されたらすぐに個人的に連絡を取ることができる。
【００３１】
一実施形態では、認識は、地理的位置特定によって（例えば、着用者の電話で、又はデータの適切なアップロード及びダウンロードによりクラウド又は別の場所で）、或いはＷｉＦｉ、ＮＦＣ、ブルートゥース及び／又は別の同等のデバイス間の通信技術等の、近接通信によって行うことができる。
【００３２】
一実施形態では、スマート部分は、計時装置及び表示手段の蓄積器に保存されるべき電気エネルギーを生成する充電手段を少なくとも備える。
【００３３】
一実施形態では、充電手段は、マイクロ発電機システム及び／又は誘導システムを備える。
【００３４】
一実施形態では、マイクロ発電機システムは、専用の回転マス（ｒｏｔａｔｉｎｇ  ｍａｓｓ）、及び／又は機械式ムーブメントの回転マス、及び／又は計時装置の竜頭の操作を用いる。
【００３５】
一実施形態では、表示手段は少なくともタッチスクリーンを備える。
【００３６】
一実施形態では、表示手段はモジュール上に少なくとも表示装置を備える。
【００３７】
一実施形態では、表示手段は、文字盤の高さ又は文字盤上に少なくとも表示装置を備える。
【００３８】
一実施形態では、表示装置は文字盤全体、又は文字盤の一部だけを覆う。
【００３９】
一実施形態では、スマート機能は、例えば携帯時計の竜頭及び／又はベゼルによって制御される。他の手段がこの目的のためにインストールされる、及び／又は使用されることもある。
【００４０】
一実施形態では、計時装置は腕時計等の携帯時計である。
【００４１】
一実施形態では、本発明は、本出願で定義された少なくとも計時装置を、少なくとも携帯電話（スマートフォン等）又は他の同等のデバイス（タブレット等）と共に使用する通信エコシステムに関する。
【００４２】
一実施形態では、本発明は、本出願で定義されたハイブリッド型の計時装置及び／又はエコシステムを使用する方法に関する。
【００４３】
諸実施形態では、使用の方法は、同じ携帯時計の、又は同じブランドの、又は別の関連ブランドの着用者間で新しいコミュニティの体験を作り出すことであり、前記着用者同士は社会的接触、やりとり、会合、共通の関心事等の共通又は共有の対話のためにつながる。
【００４４】
諸実施形態では、使用の方法は、例として、
身体の徴候を検知及び監視すること、又はそのような徴候、若しくは前記徴候に基づく／から得られた情報を表示すること、
及び／又は電話（スマートフォン）等の情報源から受け取った情報／データ、例えばリマインダ、締め切り、会合、着信Ｅメール、ニュースに対応すること、
及び／又は、例えばＮＦＣ技術若しくは別の同等な通信技術を使用することによって、支払い手段／端末とすること、
及び／又は、使用者をその現在の生活の製品（例えば家庭電化製品、及びＩｏＴ能力を有する他の接続された製品）に接続するＩｏＴ（「モノのインターネット」）のより一般的な状況におけるものとすること
ができる。
【００４５】
本発明の非限定的な実施形態及び非限定的な例について次に、図面を参照してより詳細に説明する。
【図面の簡単な説明】
【００４６】
【図１】本発明の一実施形態の概略的な後面図である。
【図２】本発明の一実施形態の概略的な斜視後面図である。
【図３】本発明の一実施形態の概略的な斜視後面切取図である。
【図４】本発明の一実施形態の概略的な前面図である。
【図５】本発明の一実施形態の概略的な斜視前面図である。
【図６】本発明の一実施形態の概略的な斜視前面切取図である
【図７】本発明の諸実施形態を示す図である。
【図８】本発明の諸実施形態のブロック図である。
【図９】本発明によるエコシステムの一例を示す図である。
【発明を実施するための形態】
【００４７】
分かりやすくするために、本発明による計時装置は、諸実施形態において、本明細書では「スマート携帯時計」又は「ハイブリッド型のスマート携帯時計」又は「ハイブリッド型の携帯時計」、又は簡単に「携帯時計」と呼ばれているが、本発明の原理が計時装置又は他の時間測定手段及びデバイス等の他の同様なデバイスに適用可能であるので、限定するものではない。他の同様な製品もまた、本明細書の枠内で想起され包含される。
【００４８】
本発明の一実施形態が、使用者の腕に着用される腕時計１のケース２の後面を示す、図１に示されている。
【００４９】
携帯時計は大まかに、ケース２と、着用者にはめるためのストラップの２つの部分３、４とを備える。ストラップ部分３及び４は、例えば携帯時計及びその外観を個性的なものにすること、又は傾向に従うこと、又は行事（スポーツ競技、コンサート、社会行事、歴史的な日等）を示すことができるように、簡単に交換可能であることが好ましい。
【００５０】
ケース２はさらに、好ましくは透明な窓５を備え、この窓を通して、携帯時計の機械式ムーブメント又はその一部分を見ることができ、前記機械式ムーブメントは、機械式携帯時計製作の分野で知られているように、適切な針で時刻を標示又は指示するために使用され、さらに、本明細書において後で説明する電子（又はスマート）モジュール１０を見ることができる。携帯時計は、当技術分野で知られているように竜頭６も備える。
【００５１】
通常、携帯時計１の「古典的な」部分は、当技術分野でよく知られているように、時刻を表示するための機械式ムーブメント（自動又は手動）を備える。
【００５２】
本発明の諸実施形態によれば、携帯時計は、携帯時計のこの機械部分を含むだけでなく、本明細書に記載のようなスマート機能専用のスマートモジュール（すなわち電子モジュール）１０も含むスマート携帯時計であり、それによって、本発明による計時装置には多くの改善並びに追加の構成及び機能がもたらされる。
【００５３】
図２は、上記と同じ参照符号で識別された同じ要素を含む携帯時計を側面斜視図で示す。
【００５４】
図３は、上記と同じ参照符号で識別された同じ要素を含む携帯時計を側面斜視図で示すが、一部分の内部配置をより良く示すように切断されている。すなわち、携帯時計は、日中（又は夜間）の時刻をその前面で指示するために、ガラス１１と、針１２（時間）、１３（分）及び２６（秒）とを備える。ガラス１１、及び２５（モジュール１０のガラス）は、通常の透明ガラス（任意の適切な材料から作られる）とすること、又は本発明のいくつかの実施形態では、表示装置の分野で知られているような透明、着色若しくはカラータッチスクリーンＯＬＥＤ、ＡＭＯＬＥＤ、ＴＦＴ、電子ペーパ（「Ｅペーパ」）とすることができる。Ｅペーパについての関心事は、その低い電力消費量であるが、もちろんこれは一例であり、他の構造及び材料が本発明の枠内で可能である。
【００５５】
参照符号１５は、ムーブメントの文字盤を指定している。
【００５６】
参照符号１４は、携帯時計の機械部分を大まかに指定しており、この部分は、時計製作の技術分野では典型的なものであり、当技術分野では知られており、したがって、ここではさらに詳細には説明しない。この部分は、手巻きメカニズム又は自動式のものとすることができる。
【００５７】
図４は、本発明の一実施形態による計時装置の前面図を上記で詳述した参照符号付きで示す。この図には、例えば計時装置の巻き上げメカニズムと協働することによって電気エネルギーを発生させるために使用されるマイクロ発電機である、要素２０も示されている。
【００５８】
本発明によるハイブリッド型の携帯時計は、上記で説明された古典的な機械式携帯時計に加えて、携帯時計ケース２に組み込まれた、好ましくは少なくとも以下の要素／手段を含むスマート部分１０（例えば、デジタル手段）を備え、これらはすべて本明細書の中で説明される。
文字盤１５を少なくとも部分的に置き換えること、又はその一部分を形成することができるデジタル画面２５、
タッチスクリーン及び表示能力を含み得る、携帯時計の前面ガラス１１及び２５
電気エネルギーを発生させるためのマイクロ発電機２０（例えば、Ｋｉｎｅｔｒｏｎシステム（登録商標））、
電気エネルギーを貯蔵するための電気蓄積器２１（又は電池）、
蓄積器にエネルギーを充填するための誘導システム又は手段及び能力、
蓄積器を充電するための遠距離到達無線電力（Ｑｉと呼ばれる）、
電話、リーダ及び端末、並びにインターネット等の遠隔ウエブと通信できるようにする受信能力及び送出能力（ＮＦＣ、ＷｉＦｉ、ブルートゥース等）（すべてのこれらのアクセスは直接であるか電話を介するかである）。
【００５９】
したがって、本発明の一態様の諸実施形態では、ハイブリッド型のスマート携帯時計は、電気蓄積器を充電するための複数の手段（エネルギー源等）を備えること、又は使用することができる。
【００６０】
１つの供給源は、Ｋｉｎｅｔｒｏｎ（登録商標）システムでも（この技術についての情報は、ウエブサイトｈｔｔｐ：／／ｗｗｗ．ｋｉｎｅｔｒｏｎ．ｅｕ／参照）、又は移動によって電気エネルギーを発生させるＫｉｎｅｔｒｏｎのようなシステムでもよい。知られているように、Ｋｉｎｅｔｒｏｎ（登録商標）システムは移動マスと、このマスの移動によって電気エネルギーを生成するマイクロ発電機２０とを備える。この目的で、発電機に働く専用のマスを使用することができ、この専用のマスは、携帯時計の着用者の動きによって移動する。別法として、機械式携帯時計の巻き上げシステムの回転マス、又は両方のマス（専用のものと巻き上げシステムのもの）を使用して、Ｋｉｎｅｔｒｏｎ（登録商標）システムを駆動し、電気エネルギーを生成することができる。
【００６１】
別の実施形態では、Ｋｉｎｅｔｒｏｎ（登録商標）システム又はその等価物はさらに、携帯時計の竜頭６を回すことによっても駆動することができ、この竜頭はさらに発電機を回転させてそれによって電気エネルギーを生成する。例えば、竜頭６を専用の位置にすることが（例えば、押すことによって）、竜頭６の回転によるエネルギー生成のトリガとして用いられてもよい。
【００６２】
移動は、着用者の変位であっても（例えば、歩くことによる）、電気エネルギーに変換され得る着用者の別の動作であってもよい。
【００６３】
すべてのこれらのソリシテーションは個別に、又は組み合わされて実行されて、携帯時計の蓄積器に貯蔵されることになる電気エネルギーが生成され得る。したがって、本発明による１つのハイブリッド型の携帯時計又はデバイスは、１つの原理若しくは別のもの、又はすべてを用いてエネルギーを生成することができる。
【００６４】
別の実施形態では、エネルギー充填が、無線充電器（遠距離又は短距離）による誘導手段を介して行われることがある。この方法は、異なる供給源に依拠してエネルギーを生成する効率的なシステムを実現するために、上述の他のシステム及び原理と組み合わせることができる。
【００６５】
一実施形態では、モジュールの前面ガラス２５は、携帯時計の着用者にアプリケーション及び／又は情報／データを提示するための表示手段／能力を備える（例えば、Ｅペーパスクリーンによって）。一般に、アプリケーションの選択は、専用の位置にある竜頭６によって行われて（例えば、竜頭６を押してから回して実行可能アプリケーションを示すことによって）、選択を有効にすることができる（例えば、竜頭を押すことによって）。もちろん、アプリケーションは、携帯時計にあらかじめインストールしておくことも、後で専用の場所（例えばウエブサイト）からダウンロードすることもでき、好ましくはアプリケーションが着用者の携帯電話に配置され、この携帯電話はその後、モジュール１０との間で情報／データを送信又は受信する。ガラス１１は、タッチスクリーンとして形成されているタッチコントロール技術を有し、そうして使用者が、携帯時計のガラス１１に触れることによって、選択されたアプリケーションを直接監視したりアクセスしたりすること、又は前記アプリケーションを起動したりアプリケーションの別のページ／ウインドウ／レベルにアクセスしたりすることが可能になる。
【００６６】
別の表示装置として、携帯時計は、ムーブメントの文字盤１５の高さにあるデジタルスクリーン（例えば、ＴＦＴ表示装置）を備えることができる。このスクリーンは、例えば携帯時計のアプリケーションに結びついた情報（アプリケーションはクラウド（無線サーバ）にある）、又は主としてスマートフォンのコンピュータにあるが好ましくは携帯時計にはない情報を示すために使用することができる。携帯時計は、コンパニオン又はスレーブであり、無線又は接触を介して通信する。両方の表示装置（前面ガラスのものと文字盤のもの）は、同一の携帯時計に使用することができ、或いは携帯時計の別々のモデル（すなわち実施形態）に提示される二者択一のものとすることができる。これらの表示装置が組み合わされて使用される場合、これらは個別の情報、又は結びついた情報、又は部分的情報を提示することができる。
【００６７】
上述のように、竜頭６は、まず針１２〜１３に働いて時間を合わせるために使用することができるが、その回転によってエネルギーを生成して、アプリケーション間で（さらには所与のアプリケーション内で）探査するために使用することもできる。これらの機構のうちの１つを実行するための専用の位置は、竜頭６の位置によって、例えば竜頭６を押すこと及び／又は回すことによって決定されることが好ましい。他の方法が、例えば竜頭６の回転方向によって、竜頭の位置に応じて、実行可能である。
例えば、
１つの位置が、ムーブメントの機械的機構を管理するために使用される。
１つの位置が、スマートモジュール用の電池をＫｉｎｅｔｒｏｎ又は同等のシステムにより手動で充電するために使用される。一般に、１日のエネルギーを３０秒で生成する。
１つの位置が、（携帯時計及び／又はモジュールの）スクリーン上でアプリケーションによってスマートモジュールを管理するために使用される。
【００６８】
他の機能性及び／又は管理能力を追加するための他の位置も想起され得る。
【００６９】
多くの変形形態が実施可能である。さらに、携帯時計の別の部分が、例えば携帯時計ベゼル、又は携帯時計ケース上の追加のボタンがこの目的のために、竜頭６と組み合わされて、又は組み合わされずに、使用されてもよい。したがって、携帯時計での的確な動作を生み出すために、例えばアプリケーションを選択したりその中を探索したりする等のために、いくつかの可能性を提示することが可能である。
【００７０】
図５及び図６は、前出の図面におけるのと同じ参照番号で識別された同じ要素を含む一実施形態による携帯時計の前面図及び側面斜視図を示す。
【００７１】
図７の７Ａ〜７Ｄは、本発明の一実施形態によるモジュールの斜視図を示す。
【００７２】
モジュール１０は、再充電可能電池等の電気エネルギーの蓄積器２１、携帯時計の電子部品（当技術分野で知られているチップ等）用に使用される、電子回路を含むＰＣＢ  ２２（プリント回路基板）を少なくとも備える。すべての電子部品は、電子工学及びスマート製品の技術分野で知られているように望ましく接続され、連絡している。蓄積器２１は、モジュール１０にだけ存在することも、携帯時計１に存在することもでき、或いは両方に分配することもできる。
【００７３】
モジュールはさらに、携帯時計１の構成要素と電気的に接触するための電気接点２３も備える。図７の７Ａ及び７Ｂは、携帯時計ケース２に挿入されていないモジュール１０を示す。図７の７Ｃは、携帯時計ケース２に挿入されたモジュールを示す。図７の７Ｄは、モジュール単体を斜視図で示す。
【００７４】
さらなる実施形態では、モジュール１０のタッチスクリーン２５は、携帯時計から独立していることができ、携帯時計に記憶されたアプリケーションにアクセスすることができ、又は無線技術を介してアクセスすることができ、又は追加の情報（本明細書に記載のように、日付や、専用のスケジュールに記憶された活動のリマインダ等）を提供するに際して携帯時計機構を補完することができる。
【００７５】
すべてのこれらの技術的構成の組合せにより、着用者は、同一のデバイスにおいて、携帯時計の従来の部分及び現代的な構成を使用することが可能になり、こうして両方の世界が同一のデバイスに共存し、互いに補完することになる。
【００７６】
図８は、本発明の実現可能な実施形態のブロック図（「システムＡ」、「システムＢ」、「システムＣ」）を示す。
【００７７】
すべてのシステムにおいて、モジュール１０は、接点２３（モジュール側）及び２４（携帯時計側）によって携帯時計１と接続され、このモジュールは、電力蓄積器２１、ＰＣＢ  ２２、及び場合によりアンテナ２４’（或いは、例えば周波数に適合した、並びに／又は例えばＷｉＦｉ、ＮＦＣ及び他の近接及び遠距離通信チャネルと、これらのための手段とを使用するように構成された、いくつかのアンテナ）を備える。
【００７８】
モジュール１０は、挿入された後に、モジュールの安定した位置及び交換を可能にする手段、例えばねじ又は別の同等の手段、キー、スナップのような仕組み等によって携帯時計に固定されることが好ましい。
【００７９】
さらにモジュール１０及び携帯時計１は、少なくとも組み立てられたときには防水性である。この防水性は、例えば時計製作の分野では一般的であるようなＯリング、ガスケット／封止材等の封止手段を使用することによって実現することができる。
【００８０】
携帯時計側では、各システムは、スマート部分の電気エネルギーを発生させる可能な方法を示す。
システムＡは、（２０のような）マイクロ発電機を使用し、このマイクロ発電機は、機械部分（例えば、その巻き上げ手段）の回転によって駆動される。
システムＢは、電気エネルギーの発生器として竜頭６を使用する。
システムＣは、機械部品の回転を直接使用する。
【００８１】
もちろん、これらのシステムのそれぞれは、単独でも任意の組合せでも本発明において使用することができる。他の同様なシステムもまた、電気エネルギーを携帯時計に供給するという、この目標を達成するために使用することができる。
【００８２】
本発明によるエコシステムの一例が、本出願で上に記載のように、各ブロックが諸機能を示している図９に概略的に示されている。例えば、計時装置（携帯時計１０）がエコシステムの中心にあり、計時装置の着用者の携帯電話と好ましくは接続される／ペアリングされる。
【００８３】
最上のブロック（「１２時のところ」）から開始して、携帯時計は、自動車、家庭電化製品及び自動化、旅行アプリケーション（切符等）、物理的カードの置き換え等の、上で論じたもののような他の「モノ」との通信のためのモノのインターネット（ＩｏＴ）システムに浸漬され、使用され得る。
【００８４】
次に続く各ブロックについて時計回りで論じる。
【００８５】
第２のブロック（「携帯時計所有者」）は、本明細書で論じた身体活動及び他の身体又は健康のパラメータ等の、携帯時計所有者／使用者データを管理する能力を示す。
【００８６】
次のブロック（「スマート電話」）は、スマート電話関係／やりとり及び能力を示す。
【００８７】
次のブロック（「支払い端末」）は、携帯時計の端末及び支払い能力を示す。
【００８８】
次のブロック（「他」）は、技術の進歩、並びに消費者の要望及びニーズに基づいて将来可能になるであろう他の機能を示す。
【００８９】
次のブロック（「携帯時計」）は、他の全く同じ、又は同様な携帯時計の所有者との対話可能性を示す（社会的接触及びやりとり、会合等）。
【００９０】
次のブロック（「衛星」）は、衛星に関連する対話可能性及び使用法を示す（例えば、衛星を使用する地理的位置特定、経路／旅行計画、及び他の通信可能性）。
【００９１】
もちろん、すべてのこれらの例は非限定的な可能性であり、他のものも本発明の枠内にある。
【００９２】
本発明及び技術は、真のハイブリッド型の機械式スマートデバイスである。このデバイスは、携帯時計の着用者によってその毎日の仕事中に自然に生成されるエネルギーで動作することができる。デバイスは、知的デジタル表示装置に入力する自動携帯時計である。技術的には、いくつかのマイクロ発電機と一緒に組み立てられた振動する手首／ロータの活動的な動きが、少なくとも１日の間中スイッチがオンになっていることを確実にするための任意選択の無線誘導充電を加えて、その仕事をする。この純粋に機械的なプロセスは、電気エネルギーを連続してデバイスのスマートデジタル能力及び背面照明Ｅペーパ又はＬＥＤパターン（及び／又はＴＦＴ）電子スマートモジュールに入力することを可能にする。
【００９３】
もちろん、本発明による計時装置はさらに、データ、情報、更新及びアプリケーションのアップロード及びダウンロードのために、また本明細書に記載の所望の機能を実行するために、例えばインターネットであるネットワークとの無線通信のための、例えばアンテナ手段である通信手段も備える。このやりとりはさらに、他の適切な、及び／又は同等の技術的手段（電線、ドッキングステーション、誘導、ＮＦＣ等）によって実行することもできる。
【００９４】
本出願に記載の諸実施形態は説明のための例であり、限定するものと考えられるべきではない。計時装置の多くの変形形態が、異なる技術的構成を組み合わされて使用して実現可能である。さらに、同等の手段が、本発明の趣旨及び範囲から逸脱することなく使用され得る。
【００９５】
本明細書の例が携帯時計（又は腕時計）に関連する場合、本発明の原理は、他のデバイスにも限定なしでもちろん適用可能である。加えて、例えば携帯時計であるものはさらに、スマート部分なしで、すなわちモジュール１０なしで、通常の機械式携帯時計として使用することもできる。このような場合には、スマート機能は起動されないだけであり、携帯時計は、時間を表示するというその初期の機能を保持する。
【図１】
2021527816.tif 000003
【図２】
2021527816.tif 000004
【図３】
2021527816.tif 000005
【図４】
2021527816.tif 000006
【図５】
2021527816.tif 000007
【図６】
2021527816.tif 000008
【図７】
2021527816.tif 000009
【図８】
2021527816.tif 000010
【図９】
2021527816.tif 000011
【国際調査報告】
2021527816.tif 000012
2021527816.tif 000013
2021527816.tif 000014